(57)【要約】【課題】  本発明は、送風機から送られる風量を均等に配分することで、実験動物の飼育及び保育に適した安定した換気圧力と風量を備えた換気飼育ケージユニットにおける換気システムを得ることにある。【解決手段】  本発明は、実験動物に飼育用の個別設置のケージ・ユニットにおける、該ケージ・ユニットへ送風する送風装置からの送風システムにおいて、送風装置を地上設置とし、該送風機からの送気路を前記ケージ・ユニット両側に設けた給気筒へ送ると共に、該ケージ・ユニット内はケージが収容される飼育ケージ室であって、該飼育ケージ室は段階状になっており、各階の該飼育ケージ室には、給気筒に送風孔が設けられてると共に各飼育ケージ室の底部に排気孔が備えられており、順次排気される換気飼育ケージ・ユニットにおける換気システムを提供する。【選択図】  図１
2011083219.tif 000002
【特許請求の範囲】
【請求項１】
実験動物に飼育用の個別設置のケージ・ユニットにおける、該ケージ・ユニットへ送風する送風装置からの換気システムにおいて、送風装置を地上設置とし、該送風機からの送気路を前記ケージ・ユニット両側に設けた給気筒へ送ると共に、該ケージ・ユニット内はケージが収容される飼育ケージ室であって、該飼育ケージ室は段階状になっており、各階の該飼育ケージ室には、給気筒に送風孔が設けられて送気されると共に各飼育ケージ室の底部に排気孔が備えられており、順次下の飼育ケージ室へ排気されることを特徴とする換気飼育ケージ・ユニットにおける換気システム
【請求項２】
前記ケージ・ユニット両側に設けた給気筒へ送気する送気路は、該給気筒の上側に設けられていることを特徴とする請求項１記載の換気飼育ケージ・ユニットにおける換気システム
【請求項３】
前記給気筒へ送気する管路は、各送排のものからなり、且つ給気筒も該送排の管路とつながって、該各給気筒も各送排毎に分割されていることを特徴とする請求項１又は２記載の換気飼育ケージ・ユニットにおける換気システム
【請求項４】
前記飼育ケージ室の上側には、給気筒から送気されるダクトが設けられ、該ダクトから、下方に送気される孔が設けられていることを特徴とする請求項１、２又は３記載の換気飼育ケージ・ユニットにおける換気システム
【請求項５】
飼育ケージ室の底部に排気孔は最終階において外気に開放されることを特徴とする請求項１、２又は４記載の換気飼育ケージ・ユニットにおける換気システム
【請求項６】
飼育ケージ室の底部に排気孔は最終階において、送風装置の吸込み側へ回帰させる回帰路を設けたことを特徴とする請求項１，２又は３記載の換気飼育ケージ・ユニットにおける換気システム。
【発明の詳細な説明】
【技術分野】
【０００１】
本発明は、供給用外気への殺菌手段を備えた実験動物の飼育用等に使用される換気飼育ケージユニットの換気システムに関する。
【背景技術】
【０００２】
従来、感染隔離において、実験動物の換気飼育ユニットの殺菌機及び方法に関しては、感染を防止する為に種々のものが提案されてきた。例えば、動物が収容されている室内へ人が入ってもエアーカーテンによって仕切られ、ヒトから動物へ又は動物からヒトへの感染を防止するものが考えられている。この場合には、動物域内へ吹き出す空気は、ヒトとは分離されて殺菌されて飼育内を循環するので、菌の出入りは防止できるものである。この場合、エアーカーテンの装置を飼育室内全部に設ける必要がある。そして、各飼育ユニットに対して、換気をすることが飼育管理上必要であり、その換気用送風装置が設けられている。
【０００３】
又、殺菌用のボックス内の構造としては、
（１）殺菌ボックスの内部に活性炭層、光触媒層、紫外線等の空気中の殺菌・脱臭手段を設けたものがある（例えば、特開昭６３−３１５１３８号公報参照）。
【０００４】
（２）殺菌ボックスの内部に電気集塵機、オゾン発生器、オゾン分解触媒を設けたものがある（例えば、特開平２−４８０５０号公報参照）。
【０００５】
（３）空気清浄器の内部にオゾン発生器、陰イオン発生器を備え、殺菌・脱臭手段を設けたものがある（例えば、特開平４−２６０７３２号公報参照）。
【０００６】
（４）殺菌ボックスの内部に、紫外線ランプを備え、殺菌・脱臭を設けたものがある（例えば、特開平７−２３９１４０号公報参照）。
【０００７】
（５）殺菌ボックスの内部に、オゾン発生器、オゾン分解触媒の外に、銀ゼオライト等の抗菌剤入りのシートフィルター等を備えるものがある（例えば、特開平６−３２３５７１号公報参照）。
（６）殺菌ボックス内部又は内壁、ファン、フィルター等の表面に、銀ゼオライト等の抗菌剤入りのシートフィルターを貼るか塗膜を形成したものがある（例えば、特開平５−５５１７６号公報参照）。
【０００８】
このような実験動物用飼育の個別の換気飼育ケージユニットには、ファン・ユニットが使用されており、送風機としては、遠心型送風機がその昇圧能力のために使用されている。そして、風量制御が行なわれるが、その為に、吐出し側の短径ダクト又はホッパーダクトを設けてから、対向羽根式、斜形羽根式、スイング式等のダンパーからなる絞り機構を設け、設置後要求風量に調整していた。
【０００９】
これらファン・ユニット（１）は、図７に示されるように、ケージユニットの上部に据付けられており、そこから、ユニット両側に供給用ダクトを通して送られる。ファン・ユニットは、吐出し口が直ぐに供給用ダクトへつながっている。両側には、供給用ダクトとつながる配送用ダクトがあり、配送用ダクトには、飼育ケーシ゛の室内へ送気する孔が開いており、そこから、換気用の空気が送られる。
しかしながら、ファン・ユニット（１）は、通常ケージ・ユニットの上部に据付けられているので、上部の供給用ダクトを通して両側へ均等に給気することは難しかった。
図１の（２）に示されるケージが収納されているケージ・ユニットの詳細図である。
図３は飼育される実験動物用のケージを示す。
【００１０】
【特許文献１】特願平５−４２８８３号公報
【特許文献２】特開平６−６２６９６号公報
【特許文献３】特開平９−２５２６７６号公報
【特許文献５】特開平２００５−６６１８号公報
【特許文献６】特開平８−３１９９９５号公報
【特許文献７】特開平９−１５８８９８号公報
【特許文献８】特開２００４−６８６４４号公報
【発明の開示】
【発明が解決しようとする課題】
【００１１】
上記実験用動物の飼育用としの換気の為のケージ・ユニットに使用されるファンユニットは、単数の飼育ケージユニット又は複数の飼育ケージユニットに対して、有効な換気を行うシステムが望まれていた。
ところが、今までは、送風機からのダクトによる送気を均等に両側の給気筒へ送ることは容易ではなかった。又をケージ・ユニットの上側に載せてあるので振動が伝わり、飼育動物に好ましくない影響も与えていた。
【００１２】
しかしながら、各飼育ケージユニットには、飼育上で均等な換気を行うことが飼育動物の管理上求められていた。
【００１３】
本発明は、上記課題を解決するために、従来送風機から送られる風量を均等に配分することで、実験動物の飼育及び保育に適した安定した換気圧力と風量を備えた換気飼育ケージユニットにおける換気システムを得ることを目的とする。
【課題を解決するための手段】
【００１４】
本発明は、上記課題を解決するために、実験動物に飼育用の個別設置のケージ・ユニットにおける、該ケージ・ユニットへ送風する送風装置からの換気システムにおいて、送風装置を地上設置とし、該送風機からの送気路を前記ケージ・ユニット両側に設けた給気筒へ送ると共に、該ケージ・ユニット内はケージが収容される飼育ケージ室であって、該飼育ケージ室は段階状になっており、各階の該飼育ケージ室には、給気筒に送風孔が設けられて送気されると共に各飼育ケージ室の底部に排気孔が備えられており、順次下の飼育ケージ室へ排気される換気飼育ケージ・ユニットにおける換気システムを提供する。
【００１５】
前記ケージ・ユニット両側に設けた給気筒へ送気する送気路は、該給気筒の上側に設けられている換気飼育ケージ・ユニットにおける換気システムを提供する。
【００１６】
前記給気筒へ送気する管路は、各送排のものからなり、且つ給気筒も該送排の管路とつながって、該各給気筒も各送排毎に分割されている換気飼育ケージ・ユニットにおける換気システムを提供する。
【００１７】
前記飼育ケージ室の上側には、給気筒から送気されるダクトが設けられ、該ダクトから、下方に送気される孔が設けられている換気飼育ケージ・ユニットにおける換気システムを提供する。
【００１８】
飼育ケージ室の底部に排気孔は最終階において外気に開放される換気飼育ケージ・ユニットにおける換気システムを提供する。
【００１９】
飼育ケージ室の底部に排気孔は最終階において、送風装置の吸込み側へ回帰させる回帰路を設けたことで、外部へ漏らすことなく、感染した実験動物の空気が外部へ細菌等を漏らさないものとすることができる。
【発明の効果】
【００２０】
本発明の効果は、ケージ・ユニットに対して、均等に安定した換気をすることが可能となり、実験動物の管理が容易となり成長を保障することができるようになった。更に、風量・風圧が均等にできるので、制御が簡単となり、ケージユニットの飼育動物にとって、全体の管理が容易に統括でき、且つ温度制御も簡単となる。
【発明を実施するための最良の形態】
【００２１】
本発明の実施の形態を実施例に基づき、図の基づいて説明する。
図２は、本発明の１実施例である各換気飼育ケージユニット（６）の全体を示す。図２に示すように、換気飼育ケージユニット（６）は、複数の飼育ケージ（７）からなる。
【００２２】
換気飼育ケージユニット（６）は、複数の飼育ケージ（７）を備えており、吊り下げられ、幾つかの階段状に配置されている。図３に示すように、各飼育ケージ（７）内には、実験動物としてモルモット、マウス、ラット、ローデンツ等が収容されている。
【００２３】
このような換気飼育ケージユニット（６）は、図２に示すように、各室内へ換気のための送風機を含むファン・ユニット装置（１）を該換気飼育ケージユニット（６）の下側の側部に備えており、予め殺菌された空気を送る。
該ケージユニット（６）の内部は、例えば、無機系抗菌剤又は光触媒を塗料化したものを内外面に焼付塗装した抗菌鋼板をケーシングとして、ハウジングを構成することができる。また、これら内部側の表面には、抗菌剤を塗膜などに含有させて保持することもできる。この場合、抗菌剤を塗料などの中に含有させて、焼付塗装、ローラ塗り、吹き付けなどにより施工する。
【００２４】
抗菌剤として、銀、酸化亜鉛、銅などの無機質材又は有機系のものを単独で、又は混合して用いる。抗菌剤の作用により、塗膜などの表面上または表面近くの細菌、
カビなどの微生物の増殖は抑止され、減少して滅菌することができる。
【００２５】
図２に示すように、送風路は、ファン・ユニット装置（１）より、各飼育ケージ（７）に対して延伸しており、ファン・ユニット（１）から管路（６００）を通して、各個別換気飼育ケージユニット（１）へ繋がっている。図２の（２）に示すように、ファン・ユニット装置（１）からは、供給主管路（６０１）が、各個別換気飼育ケージユニット（６）上の配置されており、該供給主管路（６０１）からは、各個別換気飼育ケージユニット（１）の両側に設けられる給気用のブランチ・ダクト（６１０）（６１０）へ送気される。
【００２６】
このブランチ・ダクト（６１０）（６１０）は、各個別換気飼育ケージユニット（１）の好ましくは両側に設けられており、該ユニット（１）の側壁にそって長く伸びている。  なお、供給主管路（６０１）は、ダクトであっても構わない。
又、供給戻り管路（６０２）は、矢張り、ブランチ・ダクト（６１０）（６１０）から、送風機部（２）のファン・ユニット装置（１）へ戻っていく。
この場合、ファン・ユニット装置（１）は、密閉されているので、外部からの殺菌されてない空気が入る恐れはない。又、外から空気を補充する場合には、吸込口２０（図示せず）の上流方向に殺菌装置が設けられる。
【００２７】
各個別換気飼育ケージユニット（１）へは、ブランチ・ダクト（６１０）から、更にケージ（１０）を吊り下げているバイス・ダクト（６２１）へ送られる。ブランチ・ダクト（６１０）は、2分割されており、一方は送気用のバイパス・ダクト（６２１）、他方は掃気用のバイパス・ダクト（６２２）となっている。図２では、平面で見て左右が分割されている。
この例では，送気はプラス圧となっているが、逆にマイナス圧として吸引することも可能である。この場合には送風機の吸い込み側へ繋ぎ、他方を吐き出し側に繋ぐことになるが、マイナス圧とした場合、ケイージ（１０）から、外部に漏れることがなく感染上このましい。
【００２８】
バイス・ダクト（６２１）は、ケージ（１０）のケージ室（７０１）を上下に分けて形成すると共に、ケージ（１０）を吊り下げ、ケージ（１０）内へパイプ（７０１）（７０２）とバイパス・ダクト（６２１）（６２２）の床に設けられた送排気孔とを各々つなげて、送排気を行なう。
特に、必要ない場合には、ケージ（１０）に対して、ダクトをつなげなくて自由送排気とすることも可能である。又図２の（２）に示されるように、送風機部（２）から直接ブランチ・ダクトへ送気管（６３０）によって、ブランチ・ダクト（６１０）へ送り、該ブランチ・ダクト（６１０）の壁に穿孔（図示せず）して、ケージ室（７０１）ヘ送気することもできる。
戻り管（６３１）により、送風機部（２）へ戻る。
又図２の(2)に示されるように送風孔（７００）より直接送り込むことも可能である。なお、同図で点線部分のつなぎ方もある。
勿論、送気される方式を、図２の（３）に示されるように、ダクト（７２０）を設けて下側のようなものとすることも可能である。
【００２９】
又、ブランチ・ダクト（６１０）内を送排気の為に，送排のため分けて、戻り管（６３１）によって送風機部（２）へ戻らせる循環させることもできる。この場合には、ケージ室（７０１）は、送排気が図２の（１）で見て、半分が送気、半分が排気領域となっているのがわかる。つまり、リターンの管路を併設するのである。
吊りさげるには、図３の（２）に示されるように、パイプ（７０１）（７０２）によって兼務させることもできる。その場合、特別、施工による吊り下げ具を省く事ができる。
【００３０】
送風の状態は、図２に示すように、ファン・ユニット装置（１）の送風機部（２）の吐出口より、供給主管路（６０１）を経て両側の筒状の給気ダクト（６１０）（６１０）を通して各飼育ケージ室（７０１）に対して送風される。
図２の（２）に示される場合では、バイパス・ダクト（６２１）を経由した場合は、下のケージ室（７０１）へ、上のケージ室（７０１）であれば、直接該ケージ室（７０１）へ矢印のように流入する。流入した気体は、ケージ（７）へ新鮮な空気を供給した後、戻り管（６３１）へ戻る流れを形成する。勿論、上のケージ室（７０１）は、下のケージ室（７０１）と同じように、バイパス・ダクト（６２１）と同じものを構成して、同じ送風形式とすることもできる。
なお、ダクト等は管路であっても構わない。要は、空気を送れる送気路であればよい。
【００３１】
送風機部（２）からの送気は、その供給主管路（６０１）が両側の給気ダクト（６１０）（６１０）の上側に連結されるのがよい。これは、順次ケージ室（７０１）へ送気される圧損を考えれば、好ましいものであり、両側の供気ダクトが各ケージ室（７０１）まで各連絡しているのは、この上側からの送気による圧損を補給する為でもある。
【００３２】
図４に示されるのは、他の実施例を示す。
この場合では、両側の筒状の給気ダクト（６１０）（６１０）に対して、ファン・ユニット装置（１）から、前記実施例とは異なり、直接管路（５）を通して送気するもので、戻り管路がない例である。
【００３３】
即ち、管路（５）から、給気ダクト（６１０）（６１０）へ送気された空気は、各ケージ室（７０１）へ送られる。各室（７０１）に入った、圧送された空気は、ケージ（７）へ空気を供給した後、床に設けられた排気孔（７１０）より次のケージ室（７０１）へ送られる。
【００３４】
詳しくは、両側の給気ダクト（６１０）（６１０）は、各段階的な上下に部屋になっている、複数のケージ（７）を収納するケージ室（７０１）内に対して、該両側の給気ダクト（６１０）（６１０）の壁に設けられる送風孔（７００）より各ゲージ室（７０１）内へ送風する。
即ち、送風孔（７００）は、各ゲージ室（７０１）内へ空気を供給する。上段のゲージ室（７０１）内の空気は、下段のゲージ室（７０１）へ排気される。次のケージ室（７０１）の圧損分は供気ダクトによって補給される。
【００３５】
ケージ室（７０１）の床の底部には、排気孔（７１０）が設けられ、順次下階へ排出されていくが、最終階では、外部に排出されることになる。
勿論感染対策として、最終階で外気に排出することが問題であれば、その底部を図３の（１）に示されるように、密閉して、空間（８）とし、再びファン・ユニット装置（１）の送風機部（２）の吸込み側へ戻る管路（８０）を設置することも可能である
【００３６】
この実施例では、ファン・ユニット装置（１）は、図２に示されるように、換気飼育ケージユニット（６）の左側に置かれているが、換気飼育ケージユニット（６）の前又は後の中頃に置かれると、図４の（１）に示されるように、よりダクトの長さが等しくなり、均等な風圧が得られるのが理解されるので、これが最も好ましい。
【００３７】
換気飼育ケージユニット（６）が、図４に示されるように、右側点線で示すように、次に複数になった場合についての実施例について説明する。
この例は、図２に示されるものと似ている。
換気飼育ケージユニット（６）を順次ダクトによって繋ぐことで、複数送風することが可能となる。この場合も、ファン・ユニット装置（１）は、複数の換気飼育ケージユニット（６）の真ん中に、図６の（１）に示すように設置するのが好ましいのは、前記した通りである。
【００３８】
この配置については、図６の（２）に示されるように、換気飼育ケージユニット（６）を挟んで、ファン・ユニット装置（１）を真中に配置すると、ダクト（５）（５）から各換気飼育ケージユニット（６）へのダクトの距離が左右対称となって、各々等しくなり、従って、風圧を均等になるのが理解されるであろう。
又、ダクト（５）、（５）から分岐する分割ダクト（５０１）（５０１）に調整バルブ（９）（９）を設けて、風量調整を行うことも可能である。
【００３９】
更に、換気飼育ケージユニット（６）が２以上になる場合について考える。
図５の（１）に示されるように、換気飼育ケージユニット（６）を順次ダクト（５）によって連結する。最終の換気飼育ケージユニット（６）をつないで完成する。
各換気飼育ケージユニット（６）には、ダクト（５）から分岐する分割ダクト（５０１）（５０１）が、給気ダクトへつながっており、端部のみは、図３の（１）に示されるように、右端部は直接つながり、送風機側では分岐することになる。
この場合も、前記したように、図６の（４）に示されるように、換気飼育ケージユニット（６）の真中にファン・ユニット装置（１）を配置すると風圧をより均等にすることができる。この場合には、端部側の連結は、同じとなり、直接つなげることになる。
【００４０】
図６の（３）に示されるものは、複数の換気飼育ケージユニット（６）に対して、並列に配置されたものに対して、その両側にファン・ユニット装置（１）を各配置するもので、この場合には、より均等な風圧・風量を供給することが可能となる。
【００４１】
又、図５の（２）に示されるように、ファン・ユニット装置（１）内の構成であるが、送風機部（２）の吐出口（２０１）から、直ちにダクト（５）（５）より送るのではなく、吐出口（２０１）から、均圧空間（１０１）を設ければ、ダクト（５）（５）から送気する場合、圧力は均等化され送気されることになる。
【００４２】
なお、ダクトとして説明してきたが、必要に応じ、パイプや管路であっても構わない。
ダクトの場合は、  但し、飼育ケージユニット（６）の側壁に対して、ピッタリと密着できる利点があり、取り付けも簡単で見てくれも良い。
【００４３】
このようなファン・システムは、常に清浄で飼育動物にとって好ましい換気を行わねばならないが、飼育される動物にとって均一で脈動のない安定した換気が望まれるのである。飼育動物は、環境の変化に鋭敏であるものも少なくなく、安定した風量が一番好ましいからである。
【００４４】
この実施例では、送風機は、遠心型送風機が用いられているが、他の遠心型の、例えば、多翼型遠心型送風機（シロッコ型）であっても構わない。特に、遠心型送風機にあっては、吐出口（５）の流れの状況から好ましい態様となる。
即ち，遠心型送風機は、正に遠心力を利用して、流体を中心から外方へ投げ出すものであるので、ケーシングに沿って流れ、その吐出口にあっては、外方へ押し付けられる。従って、その内方へは集まり難く、渦流を生じやすい。そこで、遠心型にあっては、上記のように、閉塞部（４）は、ケーシング内方（５）へ設けられる事が望ましい。
【００４５】
又、その他の送風機としては、横流ファン（貫流ファンともいう）も挙げられる。この場合には、２次元流れとなるので、その設置方法は、エアーカーテンに使用されているように、線状に配置できる利点がある
なお、遠心型ファンのシロッコファンでも可だが、横流れファンや軸流ファンでも採用しえるのは勿論である。特に横流ファンを使用すれば、横長の給気口や排気口にたいして合致したものとすることができて有効である。
【００４６】
以上実施例をもって説明してきたが、これら実施例に限定されることなく、本発明の技術思想の範囲内で、当業者によって、種々に変形することが可能であることは勿論である
【図面の簡単な説明】
【００４７】
【図１】換気飼育ケージ・ユニット全体を含む今までの例を示す。
【図２】本発明の換気飼育ケージ・ユニットにおける換気システムの１実施例を示す。
【図３】本発明の換気飼育ケージ・ユニットにおける飼育される実験動物のケージの例を示す。
【図４】本発明の換気飼育ケージ・ユニットにおける換気システムの１又は複数の実施例を示す。
【図５】本発明の換気飼育ケージ・ユニットにおける換気システムの複数の実施例を示す。
【図６】本発明の換気飼育ケージ・ユニットにおける換気システムの１又は複数の配列の各実施例を示す。
【符号の説明】
【００４８】
１      ファン・ユニット装置
２      送風機部
６      換気飼育ケージユニット
６１０  給気ダクト
７      飼育ケージ
７０１  ケージ室
【図１】
2011083219.tif 000003
【図２】
2011083219.tif 000004
【図３】
2011083219.tif 000005
【図４】
2011083219.tif 000006
【図５】
2011083219.tif 000007
【図６】
2011083219.tif 000008